(57)【要約】【課題】  臭気の低減を実現可能なインクジェット記録用水性インクを提供する。【解決手段】  水溶性の着色剤及び水を含むインクジェット記録用水性インクであって、さらに、ノニオン性界面活性剤と、前記水溶性の着色剤と同じ電荷を持つイオン性界面活性剤とを含み、前記ノニオン性界面活性剤と、前記水溶性の着色剤と同じ電荷を持つイオン性界面活性剤とにより、前記水中に非水溶性液体が分散しており、前記非水溶性液体が、下記（Ａ）及び（Ｂ）の少なくとも一方の条件を満たすものであることを特徴とするインクジェット記録用水性インク。 （Ａ）沸点が、２５０℃以上である。（Ｂ）炭素原子数が１０以上の飽和炭化水素である。 【選択図】  なし【特許請求の範囲】
【請求項１】
水溶性の着色剤及び水を含むインクジェット記録用水性インクであって、
さらに、ノニオン性界面活性剤と、前記水溶性の着色剤と同じ電荷を持つイオン性界面活性剤とを含み、
前記ノニオン性界面活性剤と、前記水溶性の着色剤と同じ電荷を持つイオン性界面活性剤とにより、前記水中に非水溶性液体が分散しており、
前記非水溶性液体が、下記（Ａ）及び（Ｂ）の少なくとも一方の条件を満たすものであることを特徴とするインクジェット記録用水性インク。
（Ａ）沸点が、２５０℃以上である。
（Ｂ）炭素原子数が１０以上の飽和炭化水素である。
【請求項２】
前記非水溶性液体（Ｘ）と前記ノニオン性界面活性剤（Ｙ）との重量比が、Ｘ：Ｙ＝１０：１〜１：４であり、かつ、前記非水溶性液体（Ｘ）と前記水溶性の着色剤と同じ電荷を持つイオン性界面活性剤（Ｚ）との重量比が、Ｘ：Ｚ＝２５：１〜１：３であることを特徴とする請求項１記載のインクジェット記録用水性インク。
【請求項３】
前記水性インク全量に対する前記水溶性の着色剤の配合量が、１重量％〜３重量％であることを特徴とする請求項１又は２記載のインクジェット記録用水性インク。
【請求項４】
前記ノニオン性界面活性剤が、ソルビット系界面活性剤及びアセチレングリコール系界面活性剤の少なくとも一方を含むことを特徴とする請求項１〜３のいずれか一項に記載のインクジェット記録用水性インク。
【請求項５】
前記水溶性の着色剤と同じ電荷を持つイオン性界面活性剤が、硫酸塩構造を有するアニオン性界面活性剤及び式（４）で表される第４級アンモニウム塩の少なくとも一方を含むことを特徴とする請求項１〜４のいずれか一項に記載のインクジェット記録用水性インク。
【化１】
2015189956.tif 000013
式（４）において、
Ｒ１、Ｒ２、Ｒ３及びＲ４は、それぞれ、炭素原子数１〜１８のアルキル基であり、Ｒ１、Ｒ２、Ｒ３及びＲ４は同一でも異なっていてもよい。
【請求項６】
インクジェット記録用水性インクを含むインクカートリッジであって、前記水性インクが、請求項１〜５のいずれか一項に記載のインクジェット記録用水性インクであることを特徴とするインクカートリッジ。
【請求項７】
水溶性の着色剤及び水を撹拌混合して第一の液体を調製する第一の液体調製工程と、
非水溶性液体及びノニオン性界面活性剤を撹拌混合して第二の液体を調製する第二の液体調製工程と、
水及び前記染料と同じ電荷を持つイオン性界面活性剤を撹拌混合して第三の液体を調製する第三の液体調製工程と、
前記第二の液体を前記第三の液体に滴下して第四の液体を調製する第四の液体調製工程と、
前記第四の液体を前記第一の液体に滴下してインクジェット記録用水性インクを調製する水性インク調製工程とを含み、
前記非水溶性液体として、下記（Ａ）及び（Ｂ）の少なくとも一方の条件を満たすものを用いることを特徴とするインクジェット記録用水性インクの製造方法。
（Ａ）沸点が、２５０℃以上である。
（Ｂ）炭素原子数が１０以上の飽和炭化水素である。
【発明の詳細な説明】
【技術分野】
【０００１】
本発明は、インクジェット記録用水性インク、インクカートリッジ及びインクジェット記録用水性インクの製造方法に関する。
【背景技術】
【０００２】
水性インクに添加する非水溶性液体として、ジプロピレングリコールモノプロピルエーテル（ＤＰＰ）が知られている（例えば、特許文献１参照）。
【先行技術文献】
【特許文献】
【０００３】
【特許文献１】特開平０９−１１１１６５号公報
【発明の概要】
【発明が解決しようとする課題】
【０００４】
しかしながら、ＤＰＰを配合した水性インクでは、ＤＰＰが揮発し、臭気を生じる。そこで、本発明は、臭気の低減を実現可能なインクジェット記録用水性インクを提供することを目的とする。
【課題を解決するための手段】
【０００５】
前記目的を達成するために、本発明のインクジェット記録用水性インクは、
水溶性の着色剤及び水を含むインクジェット記録用水性インクであって、
さらに、ノニオン性界面活性剤と、前記水溶性の着色剤と同じ電荷を持つイオン性界面活性剤とを含み、
前記ノニオン性界面活性剤と、前記水溶性の着色剤と同じ電荷を持つイオン性界面活性剤とにより、前記水中に非水溶性液体が分散しており、
前記非水溶性液体が、下記（Ａ）及び（Ｂ）の少なくとも一方の条件を満たすものであることを特徴とする。
（Ａ）沸点が、２５０℃以上である。
（Ｂ）炭素原子数が１０以上の飽和炭化水素である。
【発明の効果】
【０００６】
本発明のインクジェット記録用水性インクによれば、ノニオン性界面活性剤と、水溶性の着色剤と同じ電荷を持つイオン性界面活性剤とにより、前記（Ａ）及び（Ｂ）の少なくとも一方の条件を満たす非水溶性液体を水中に分散させることで、水性インクにおける臭気の低減を実現可能である。また、ノニオン性界面活性剤と、水溶性の着色剤と同じ電荷を持つイオン性界面活性剤とを併用したことで、安定性にも優れる。
【図面の簡単な説明】
【０００７】
【図１】図１は、本発明のインクジェット記録装置の構成の一例を示す概略斜視図である。
【発明を実施するための形態】
【０００８】
本発明のインクジェット記録用水性インク（以下、「水性インク」又は「インク」と言うことがある。）について説明する。本発明の水性インクは、水溶性の着色剤及び水を含む。
【０００９】
前記水溶性の着色剤としては、例えば、染料等があげられる。前記染料としては、特に限定されず、例えば、直接染料、酸性染料、塩基性染料、反応性染料等があげられる。前記染料としては、例えば、Ｃ．Ｉ．ダイレクトブラック、Ｃ．Ｉ．ダイレクトブルー、Ｃ．Ｉ．ダイレクトレッド、Ｃ．Ｉ．ダイレクトイエロー、Ｃ．Ｉ．ダイレクトオレンジ、Ｃ．Ｉ．ダイレクトバイオレット、Ｃ．Ｉ．ダイレクトブラウン、Ｃ．Ｉ．ダイレクトグリーン、Ｃ．Ｉ．アシッドブラック、Ｃ．Ｉ．アシッドオレンジ、Ｃ．Ｉ．アシッドバイオレット、Ｃ．Ｉ．ベーシックブラック、Ｃ．Ｉ．ベーシックブルー、Ｃ．Ｉ．ベーシックレッド、Ｃ．Ｉ．ベーシックバイオレット及びＣ．Ｉ．フードブラック等があげられる。前記Ｃ．Ｉ．ダイレクトブラックとしては、例えば、Ｃ．Ｉ．ダイレクトブラック１７、１９、３２、５１、７１、１０８、１４６、１５４及び１６８等があげられる。前記Ｃ．Ｉ．ダイレクトブルーとしては、例えば、Ｃ．Ｉ．ダイレクトブルー６、２２、２５、７１、８６、９０、１０６及び１９９等があげられる。前記Ｃ．Ｉ．ダイレクトレッドとしては、例えば、Ｃ．Ｉ．ダイレクトレッド１、４、１７、２８、８３及び２２７等があげられる。前記Ｃ．Ｉ．ダイレクトイエローとしては、例えば、Ｃ．Ｉ．ダイレクトイエロー１２、２４、２６、８６、９８、１３２、１４２及び１７３等があげられる。前記Ｃ．Ｉ．ダイレクトオレンジとしては、例えば、Ｃ．Ｉ．ダイレクトオレンジ３４、３９、４４、４６及び６０等があげられる。前記Ｃ．Ｉ．ダイレクトバイオレットとしては、例えば、Ｃ．Ｉ．ダイレクトバイオレット４７及び４８等があげられる。前記Ｃ．Ｉ．ダイレクトブラウンとしては、例えば、Ｃ．Ｉ．ダイレクトブラウン１０９等があげられる。前記Ｃ．Ｉ．ダイレクトグリーンとしては、例えば、Ｃ．Ｉ．ダイレクトグリーン５９等があげられる。前記Ｃ．Ｉ．アシッドブラックとしては、例えば、Ｃ．Ｉ．アシッドブラック２、７、２４、２６、３１、５２、６３、１１２及び１１８等があげられる。前記Ｃ．Ｉ．アシッドブルーとしては、例えば、Ｃ．Ｉ．アシッドブルー９、２２、４０、５９、９０、９３、１０２、１０４、１１７、１２０、１６７、２２９及び２３４等があげられる。前記Ｃ．Ｉ．アシッドレッドとしては、例えば、Ｃ．Ｉ．アシッドレッド１、６、３２、３７、５１、５２、８０、８５、８７、９２、９４、１１５、１８０、２５６、２８９、３１５及び３１７等があげられる。前記Ｃ．Ｉ．アシッドイエローとしては、例えば、Ｃ．Ｉ．アシッドイエロー１１、１７、２３、２５、２９、４２、６１及び７１等があげられる。前記Ｃ．Ｉ．アシッドオレンジとしては、例えば、Ｃ．Ｉ．アシッドオレンジ７及び１９等があげられる。前記Ｃ．Ｉ．アシッドバイオレットとしては、例えば、Ｃ．Ｉ．アシッドバイオレット４９等があげられる。前記Ｃ．Ｉ．ベーシックブラックとしては、例えば、Ｃ．Ｉ．ベーシックブラック２等があげられる。前記Ｃ．Ｉ．ベーシックブルーとしては、例えば、Ｃ．Ｉ．ベーシックブルー１、３、５、７、９、２４、２５、２６、２８及び２９等があげられる。前記Ｃ．Ｉ．ベーシックレッドとしては、例えば、Ｃ．Ｉ．ベーシックレッド１、２、９、１２、１３、１４及び３７等があげられる。前記Ｃ．Ｉ．ベーシックバイオレットとしては、Ｃ．Ｉ．ベーシックバイオレット７、１４及び２７等があげられる。前記Ｃ．Ｉ．フードブラックとしては、例えば、Ｃ．Ｉ．フードブラック１及び２等があげられる。
【００１０】
前記水性インク全量に対する前記水溶性の着色剤の配合量（水溶性着色剤割合）は、特に限定されず、例えば、０．５重量％〜８重量％であり、好ましくは、１重量％〜４．５重量％であり、より好ましくは、１重量％〜３重量％である。前記水溶性着色剤割合を１重量％〜４重量％とすることで、安定性により優れた水性インクを得ることができる。
【００１１】
前記水は、イオン交換水又は純水であることが好ましい。前記水性インク全量に対する前記水の配合量（水割合）は、例えば、１０重量％〜９０重量％であり、好ましくは、４０重量％〜８０重量％である。前記水割合は、例えば、他の成分の残部としてもよい。
【００１２】
前述のとおり、本発明の水性インクは、さらに、ノニオン性界面活性剤と、前記水溶性の着色剤と同じ電荷を持つイオン性界面活性剤（以下、「同電荷イオン性界面活性剤」と言う。）とを含む。
【００１３】
前記ノニオン性界面活性剤としては、例えば、ソルビット系界面活性剤、アセチレングリコール系界面活性剤、ソルビタン系界面活性剤、ポリオキシエチレンアルキルエーテル系界面活性剤等があげられる。
【００１４】
前記ソルビット系界面活性剤としては、例えば、式（１）で表される界面活性剤等があげられる。
【化１】
2015189956.tif 000002
式（１）において、
Ｒ５〜Ｒ１０は、それぞれ、水素原子もしくは炭素原子数１８のアルキル基であり、
ｐ、ｑ、ｒ、ｓ、ｔ及びｕは、同一でも異なっていてもよく、３０≦ｐ＋ｑ＋ｒ＋ｓ＋ｔ＋ｕ≦８０を満たす数である。
【００１５】
前記ソルビット系界面活性剤としては、例えば、市販品を用いてもよい。前記市販品としては、例えば、東邦化学工業（株）製の「ソルボン（登録商標）  ＴＲ−８４３」（テトラオレイン酸ポリオキシエチレンソルビット）等があげられる。
【００１６】
前記アセチレングリコール系界面活性剤としては、例えば、式（２）で表される界面活性剤等があげられる。
【化２】
2015189956.tif 000003
【００１７】
式（２）において、ｍ及びｎは同一でも異なっていてもよく、ｍ＋ｎ＝１〜１５を満たす数であり、好ましくは、ｍ＋ｎ＝３〜１１を満たす数である。Ｒ１１、Ｒ１２、Ｒ１３及びＲ１４は、それぞれ、炭素原子数１〜５の直鎖状又は分岐鎖状アルキル基であり、Ｒ１１、Ｒ１２、Ｒ１３及びＲ１４は同一でも異なっていてもよい。前記アルキル基としては、例えば、メチル基、エチル基、プロピル基、イソプロピル基、ブチル基等があげられる。
【００１８】
前記アルキレングリコール系界面活性剤は、例えば、市販品を用いてもよい。前記市販品としては、例えば、日信化学工業（株）製の「オルフィン（登録商標）Ｅ１０１０」、「オルフィン（登録商標）Ｅ１００４」、「サーフィノール（登録商標）４４０」及び「サーフィノール（登録商標）４６５」；川研ファインケミカル（株）製の「アセチレノール（登録商標）Ｅ４０」及び「アセチレノール（登録商標）Ｅ１００」等があげられる。
【００１９】
前記ソルビタン系界面活性剤としては、例えば、式（３）で表される界面活性剤等があげられる。
【化３】
2015189956.tif 000004
式（３）において、
Ｒ１、Ｒ２、Ｒ３及びＲ４は、それぞれ、水酸基もしくは炭素原子数１２〜１８の飽和脂肪酸又は不飽和脂肪酸であり、
ａ、ｂ、ｃ及びｄは、同一でも異なっていてもよく、ａ＋ｂ＋ｃ＋ｄ≧２０を満たす数である。
【００２０】
前記炭素原子数１２〜１８の飽和脂肪酸又は不飽和脂肪酸としては、例えば、ラウリン酸、ミリスチン酸、パルミチン酸、ステアリン酸、パルミトレイン酸、オレイン酸、リシノール酸、リノール酸等があげられ、ラウリン酸、ステアリン酸、オレイン酸であることが好ましい。また、式（３）において、２０≦ａ＋ｂ＋ｃ＋ｄ≦１６０であることが好ましい。
【００２１】
前記ソルビタン系界面活性剤としては、例えば、市販品を用いてもよい。前記市販品としては、例えば、花王（株）製の「レオドール（登録商標）  ＴＷ−Ｏ１０６Ｖ」（ポリオキシエチレンソルビタンモノオレエート）、「レオドール（登録商標）  ＴＷ−Ｌ１２０」（ポリオキシエチレンソルビタンモノラウレート）、「レオドール（登録商標）  ＴＷ−ＩＳ３９９Ｃ」（ポリオキシエチレンソルビタントリイソステアレート）等があげられる。
【００２２】
前記ポリオキシアルキレンアルキルエーテル系界面活性剤としては、例えば、ポリオキシエチレンアルキルエーテル、ポリオキシプロピレンアルキルエーテル等があげられる。前記ポリオキシアルキレンアルキルエーテル系界面活性剤としては、例えば、市販品を用いてもよい。前記市販品としては、例えば、花王（株）製の「エマルゲン（登録商標）  ４０８」（ポリオキシエチレンオレイルエーテル）、「エマルゲン（登録商標）  １０５」（ポリオキシエチレンラウリルエーテル）、「エマルゲン（登録商標）  １５０」（ポリオキシエチレンラウリルエーテル）、「エマルゲン（登録商標）  ２２０」（ポリオキシエチレンセチルエーテル）、「エマルゲン（登録商標）  ３０６Ｐ」（ポリオキシエチレンステアリルエーテル）、「エマルゲン（登録商標）  ４０４」（ポリオキシエチレンオレイルエーテル）、「エマルゲン（登録商標）  ４３０」ポリオキシエチレンオレイルエーテル）、「エマルゲン（登録商標）  ７０５」（ポリオキシエチレンアルキルエーテル）等があげられる。
【００２３】
前記ノニオン性界面活性剤は、１種類を単独で用いても、２種類以上を併用してもよい。前記水性インク全量に対する前記ノニオン性界面活性剤の配合量は、例えば、０．１重量％〜２０重量％であり、好ましくは、０．２重量％〜５重量％であり、より好ましくは、０．４重量％〜１．５重量％である。
【００２４】
前記同電荷イオン性界面活性剤とは、前記水溶性の着色剤がアニオンである場合には、アニオン性界面活性剤であり、前記水溶性の着色剤がカチオンである場合には、カチオン性界面活性剤である。
【００２５】
前記アニオン性界面活性剤としては、例えば、硫酸塩構造（−ＳＯ３Ｍ、Ｍは水素原子以外のカウンターイオン）を有するアニオン性界面活性剤等があげられる。前記アニオン性界面活性剤としては、例えば、市販品を用いてもよい。前記市販品としては、例えば、東邦化学工業（株）製の「アルスコープ（登録商標）  ＴＨ−３３０」；花王（株）製の「ネオペレックス（登録商標）  Ｇ−１５」及び「ペレックス（登録商標）  ＴＲ」；ライオン（株）製の「サンノール（登録商標）ＮＬ１４３０」、「ライポン（登録商標）ＬＴ−２７０」、「ライポン（登録商標）ＬＳ−２５０」及び「サンノール（登録商標）ＬＭ−１１３０」等があげられる。
【００２６】
前記カチオン性界面活性剤としては、例えば、式（４）で表される第４級アンモニウム塩等があげられる。
【化４】
2015189956.tif 000005
【００２７】
式（４）において、Ｒ１、Ｒ２、Ｒ３及びＲ４は、それぞれ、炭素原子数１〜１８のアルキル基であり、Ｒ１、Ｒ２、Ｒ３及びＲ４は同一でも異なっていてもよい。前記アルキル基は、直鎖でも分岐鎖でもよく、例えば、メチル基、エチル基、ｎ−プロピル基、イソプロピル基、オクチル基、カプリル基、ラウロイル基、ミリストイル基、パルミトイル基、ステアリル基等があげられる。前記アルキル基は、ハロゲン原子等の置換基を有してもよい。
【００２８】
式（４）において、Ｘ−は、アニオンである。前記アニオンは、いかなるものであってもよいが、例えば、メチル硫酸イオン、エチル硫酸イオン、硫酸イオン、硝酸イオン、酢酸イオン、ジカルボン酸（例えば、リンゴ酸、イタコン酸等）イオン、トリカルボン酸（例えば、クエン酸等）イオン、水酸化物イオン、ハロゲン化物イオン等があげられる。Ｘ−がジカルボン酸イオン又はトリカルボン酸イオンである場合には、ジカルボン酸イオン又はトリカルボン酸イオンが、２つ又は３つの第４級アンモニウムイオンのカウンターイオンとなる。
【００２９】
式（４）で表される第４級アンモニウム塩の具体例としては、例えば、ジメチルエチルオクチルアンモニウムエチル硫酸塩、ジメチルエチルラウリルアンモニウムエチル硫酸塩、テトラブチルアンモニウムヒドロキシド、トリメチルラウリルアンモニウム塩酸塩、ラウリルトリメチルアンモニウムクロライド、セチルトリメチルアンモニウムクロライド、テトラデシルトリメチルアンモニウムクロライド、オクタデシルトリメチルアンモニウムクロライド等があげられる。
【００３０】
前記カチオン性界面活性剤としては、式（４）で表される第４級アンモニウム塩以外のものを用いてもよく、例えば、第１級、第２級及び第３級アミン塩型化合物、アルキルアミン塩、ジアルキルアミン塩、脂肪族アミン塩、ベンザルコニウム塩、アルキルピリジニウム塩、イミダゾリニウム塩、スルホニウム塩、ホスホニウム塩、オニウム塩等を用いることができる。式（４）で表される第４級アンモニウム塩以外の前記カチオン性界面活性剤の具体例としては、例えば、ラウリルアミン、ヤシアミン、ロジンアミン等の塩酸塩、酢酸塩等、ベンジルトリブチルアンモニウムクロライド、塩化ベンジルコニウム、セチルピリジニウムクロライド、セチルピリジニウムブロマイド、ジヒドロキシエチルラウリルアミン、デシルジメチルベンジルアンモニウムクロライド、ドデシルジメチルベンジルアンモニウムクロライド等があげられる。
【００３１】
前記カチオン性界面活性剤としては、例えば、市販品を用いてもよい。前記市販品としては、例えば、第一工業製薬（株）製の「カチオーゲン（登録商標）ＥＳ−ＯＷ」及び「カチオーゲン（登録商標）ＥＳ−Ｌ」等があげられる。
【００３２】
前記同電荷イオン性界面活性剤は、１種類を単独で用いても、２種類以上を併用してもよい。前記水性インク全量に対する前記同電荷イオン性界面活性剤の配合量は、例えば、０．１重量％〜７．５重量％であり、好ましくは、０．１重量％〜２．５重量％であり、より好ましくは、０．１５重量％〜１重量％である。
【００３３】
前記水溶性の着色剤と前記同電荷イオン性界面活性剤との重量比は、水溶性の着色剤：同電荷イオン性界面活性剤＝２０：１〜４：１５であることが好ましい。
【００３４】
本発明においては、前記ノニオン性界面活性剤と、前記同電荷イオン性界面活性剤とにより、前記水中に非水溶性液体が分散している。前記非水溶性液体は、前記（Ａ）及び（Ｂ）の少なくとも一方の条件を満たす。揮発性の低い前記（Ａ）及び（Ｂ）の少なくとも一方の条件を満たす非水溶性液体（以下、「特定非水溶性液体」と言うことがある。）を用いたことで、臭気の低減が可能である。また、本発明によれば、前記ノニオン性界面活性剤と、前記同電荷イオン性界面活性剤とを併用したことで、水性インクの安定性を向上させることも可能である。本発明の水性インクは、インクジェット方式で吐出される前の状態では、前記特定非水溶性液体が分散しているため若干濁っていることがあるが、記録媒体に着弾すると、前記特定非水溶性液体の分散状態が解消され、水性インクの濁りも解消される。
【００３５】
前記（Ａ）の条件を満たす特定非水溶性液体としては、例えば、アジピン酸ジエチル、フタル酸ジエチル、ポリプロピレングリコール（ＰＰＧ）４００等があげられる。前記特定非水溶性液体の沸点及び構造式を、表１及び式（５）〜（７）に示す。
【００３６】
【表１】
2015189956.tif 000006
【００３７】
【化５】
2015189956.tif 000007
【化６】
2015189956.tif 000008
【化７】
2015189956.tif 000009
【００３８】
前記（Ｂ）の条件を満たす特定非水溶性液体としては、例えば、デカン、ウンデカン、ドデカン等があげられる。
【００３９】
前記水性インク全量に対する前記特定非水溶性液体の配合量（特定非水溶性液体割合）は、例えば、１重量％〜３０重量％であり、好ましくは、２重量％〜２０重量％であり、より好ましくは、４重量％〜１５重量％である。
【００４０】
本発明の水性インクにおいて、前記特定非水溶性液体（Ｘ）と前記ノニオン性界面活性剤（Ｙ）との重量比は、Ｘ：Ｙ＝２５：１〜１：８であることが好ましく、Ｘ：Ｙ＝１０：１〜１：４であることがより好ましい。
【００４１】
本発明の水性インクにおいて、前記特定非水溶性液体（Ｘ）と前記同電荷イオン性界面活性剤（Ｚ）との重量比は、Ｘ：Ｚ＝２５：１〜１：３であることが好ましく、Ｘ：Ｚ＝２０：１〜４：１５であることがより好ましい。
【００４２】
本発明の水性インクにおいて、水と前記特定非水溶性液体との重量比は、水：特定非水溶性液体＝６０：１〜１：１であることが好ましく、水：特定非水溶性液体＝３０：１〜２：１であることがより好ましく、水：特定非水溶性液体＝１５：１〜８：３であることがさらに好ましい。
【００４３】
本発明の水性インクは、さらに、水溶性有機溶剤を含むことが好ましい。前記水溶性有機溶剤としては、例えば、インクジェットヘッドのノズル先端部における水性インクの乾燥を防止する湿潤剤があげられる。
【００４４】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール等のポリエーテル；アルキレングリコール、グリセリン、トリメチロールプロパン、トリメチロールエタン等の多価アルコール；２−ピロリドン；Ｎ−メチル−２−ピロリドン；１，３−ジメチル−２−イミダゾリジノン等があげられる。前記ポリアルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの湿潤剤は、１種類を単独で用いてもよいし、２種類以上を併用してもよい。これらの中で、アルキレングリコール、グリセリン等の多価アルコールが好ましい。
【００４５】
前記水性インク全量に対する前記湿潤剤の配合量は、例えば、０重量％〜９５重量％であり、好ましくは、５重量％〜８０重量％であり、より好ましくは、５重量％〜５０重量％である。
【００４６】
前記水性インクは、必要に応じて、さらに、従来公知の添加剤を含んでもよい。前記添加剤としては、例えば、ｐＨ調整剤、粘度調整剤、表面張力調整剤、防黴剤等があげられる。前記粘度調整剤は、例えば、ポリビニルアルコール、セルロース、水溶性樹脂等があげられる。
【００４７】
つぎに、本発明のインクジェット記録用水性インクの製造方法について、例をあげて説明する。ただし、この製造方法は例示に過ぎず、本発明の水性インクは、いかなる方法で製造されてもよい。
【００４８】
（第一の液体調製工程）
まず、前記水溶性の着色剤及び前記水（配合量の半分）を、従来公知の方法で均一に撹拌混合して、第一の液体を調製する。前記水溶性の着色剤は、固形分として前記水に混合してもよいし、前記水溶性の着色剤の水溶液として前記水に混合するようにしてもよい。
【００４９】
（第二の液体調製工程）
つぎに、前記特定非水溶性液体及び前記ノニオン性界面活性剤を、従来公知の方法で均一に撹拌混合して、第二の液体を調製する。
【００５０】
（第三の液体調製工程）
つぎに、前記水（配合量の残りの半分）及び前記同電荷イオン性界面活性剤を、従来公知の方法で均一に撹拌混合して、第三の液体を調製する。
【００５１】
（第四の液体調製工程）
つぎに、前記第二の液体に前記第三の液体を滴下して、第四の液体を調製する。
【００５２】
（水性インク調製工程）
つぎに、前記第四の液体に前記第一の液体を滴下することで、本発明の水性インクを調製できる。
【００５３】
前記製造方法は、前記水性インク調製工程後に、フィルタ等で不溶解物を除去するろ過工程を有してもよい。
【００５４】
つぎに、本発明のインクカートリッジは、インクジェット記録用水性インクを含むインクカートリッジであって、前記水性インクが、本発明のインクジェット記録用水性インクであることを特徴とする。前記インクカートリッジの本体としては、例えば、従来公知のものを使用できる。
【００５５】
つぎに、本発明のインクジェット記録装置及びインクジェット記録方法について説明する。
【００５６】
本発明のインクジェット記録装置は、インク収容部及びインク吐出手段を含み、前記インク収容部に収容されたインクを前記インク吐出手段によって吐出するインクジェット記録装置であって、前記インク収容部に、本発明のインクジェット記録用水性インクが収容されていることを特徴とする。
【００５７】
本発明のインクジェット記録方法は、記録媒体に水性インクをインクジェット方式により吐出して記録するインクジェット記録方法であって、前記水性インクとして、本発明のインクジェット記録用水性インクを用いることを特徴とする。
【００５８】
本発明のインクジェット記録方法は、例えば、本発明のインクジェット記録装置を用いて実施可能である。前記記録は、印字、印画、印刷等を含む。
【００５９】
図１に、本発明のインクジェット記録装置の一例の構成を示す。図示のとおり、このインクジェット記録装置１は、４つのインクカートリッジ２と、インク吐出手段（インクジェットヘッド）３と、ヘッドユニット４と、キャリッジ５と、駆動ユニット６と、プラテンローラ７と、パージ装置８とを主要な構成要素として含む。
【００６０】
４つのインクカートリッジ２は、イエロー、マゼンタ、シアン及びブラックの４色の水性インクを、それぞれ１色ずつ含む。例えば、前記水性イエローインク、前記水性マゼンタインク及び前記水性シアンインクのうちの少なくとも一つが、本発明のインクジェット記録用水性インクである。その他の水性インクは、一般的な水性インクを用いてよい。ヘッドユニット４に設置されたインクジェットヘッド３は、記録媒体（例えば、記録用紙）Ｐに記録を行う。キャリッジ５には、４つのインクカートリッジ２及びヘッドユニット４が搭載される。駆動ユニット６は、キャリッジ５を直線方向に往復移動させる。駆動ユニット６としては、例えば、従来公知のものを使用できる（例えば、特開２００８−２４６８２１号公報参照）。プラテンローラ７は、キャリッジ５の往復方向に延び、インクジェットヘッド３と対向して配置されている。
【００６１】
パージ装置８は、インクジェットヘッド３の内部に溜まる気泡等を含んだ不良インクを吸引する。パージ装置８としては、例えば、従来公知のものを使用できる（例えば、特開２００８−２４６８２１号公報参照）。
【００６２】
パージ装置８のプラテンローラ７側には、パージ装置８に隣接してワイパ部材２０が配設されている。ワイパ部材２０は、へら状に形成されており、キャリッジ５の移動に伴って、インクジェットヘッド３のノズル形成面を拭うものである。図１において、キャップ１８は、水性インクの乾燥を防止するため、記録が終了するとリセット位置に戻されるインクジェットヘッド３の複数のノズルを覆うものである。
【００６３】
本例のインクジェット記録装置１においては、４つのインクカートリッジ２は、ヘッドユニット４と共に、１つのキャリッジ５に搭載されている。ただし、本発明は、これに限定されない。インクジェット記録装置１において、４つのインクカートリッジ２の各カートリッジは、ヘッドユニット４とは別のキャリッジに搭載されていてもよい。また、４つのインクカートリッジ２の各カートリッジは、キャリッジ５には搭載されず、インクジェット記録装置１内に配置、固定されていてもよい。これらの態様においては、例えば、４つのインクカートリッジ２の各カートリッジと、キャリッジ５に搭載されたヘッドユニット４とが、チューブ等により連結され、４つのインクカートリッジ２の各カートリッジからヘッドユニット４に前記水性インクが供給される。
【００６４】
このインクジェット記録装置１を用いたインクジェット記録は、例えば、つぎのようにして実施される。まず、記録用紙Ｐが、インクジェット記録装置１の側方又は下方に設けられた給紙カセット（図示せず）から給紙される。記録用紙Ｐは、インクジェットヘッド３と、プラテンローラ７との間に導入される。導入された記録用紙Ｐに、インクジェットヘッド３から吐出される水性インクにより所定の記録がされる。本発明の水性インクは、臭気が低減されている。記録後の記録用紙Ｐは、インクジェット記録装置１から排紙される。本発明の水性インクは、安定性に優れるため、記録物の品質のばらつきが抑制される。図１においては、記録用紙Ｐの給紙機構及び排紙機構の図示を省略している。
【００６５】
図１に示す装置では、シリアル型インクジェットヘッドを採用するが、本発明は、これに限定されない。前記インクジェット記録装置は、ライン型インクジェットヘッドを採用する装置であってもよい。
【実施例】
【００６６】
つぎに、本発明の実施例について比較例と併せて説明する。なお、本発明は、下記の実施例及び比較例により限定及び制限されない。
【００６７】
［実施例１−１〜３−８及び比較例１−１〜３−８］
水性インク組成（表２〜４）における、水溶性の着色剤及び水（表２〜４に記載の量の半分）を均一に撹拌混合して第一の液体を調製した。つぎに、水性インク組成（表２〜４）における、非水溶性液体及びノニオン性界面活性剤を均一に撹拌混合して第二の液体を調製した。つぎに、水性インク組成（表２〜４）における、水（表２〜４に記載の量の残りの半分）及び同電荷イオン性界面活性剤を撹拌混合して第三の液体を調製した。つぎに、前記第二の液体を前記第三の液体に滴下して、第四の液体を調製した。つぎに、前記第四の液体に前記第一の液体を滴下することで、実施例１−１〜３−８及び比較例１−１〜３−８のインクジェット記録用水性インクを得た。
【００６８】
実施例及び比較例の水性インクについて、（ａ）臭気評価及び（ｂ）安定性評価を、下記方法により実施した。
【００６９】
（ａ）臭気評価
実施例及び比較例の水性インクの臭気を嗅いで、臭気を感じなかったら「Ｇ（合格）」、臭気を感じたら「ＮＧ（不合格）」とした。
【００７０】
（ｂ）安定性評価
調製から３０分後の実施例及び比較例の水性インクを目視にて観察して、安定性を、下記評価基準に従って評価した。
【００７１】
安定性評価  評価基準
ＡＡ：水性インクが分離していなかった
Ａ  ：水性インクが分離していなかったが、液面に泡が観察された
Ａ−：水性インクが分離していなかったが、液面に多くの泡が観察された
Ｂ  ：水性インクが若干分離しているように観察された
Ｃ  ：水性インクが完全に分離していた
【００７２】
実施例１−１〜１−２１及び比較例１−１〜１−８の水性インクの水性インク組成及び評価結果を、表２に示す。また、実施例２−１〜２−４及び比較例２−１〜２−４の水性インクの水性インク組成及び評価結果を、表３に示す。さらに、実施例３−１〜３−４及び比較例３−１〜３−４の水性インクの水性インク組成及び評価結果を、表４に示す。
【００７３】
【表２】
2015189956.tif 000010
【００７４】
【表３】
2015189956.tif 000011
【００７５】
【表４】
2015189956.tif 000012
【００７６】
表２に示すとおり、実施例１−１〜１−２１では、臭気が低減されており、安定性も良好であった。特に、特定非水溶性液体：ノニオン性界面活性剤（重量比）＝１０：１〜１：４とし、かつ、前記水溶性着色剤割合を１重量％〜３重量％とした実施例１−１〜１−９、１−１２、１−１３及び１−１５〜１−２０では、安定性が極めて良好であった。一方、同電荷イオン性界面活性剤を用いなかった比較例１−１〜１−４及びノニオン性界面活性剤を用いなかった比較例１−５〜１−８では、安定性の評価結果が悪かった。
【００７７】
また、表３に示すとおり、実施例２−１〜２−４では、臭気が低減されており、安定性も良好であった。一方、同電荷イオン性界面活性剤を用いなかった比較例２−１及び２−２並びにノニオン性界面活性剤を用いなかった比較例２−３及び２−４では、安定性の評価結果が悪かった。
【００７８】
さらに、表４に示すとおり、実施例３−１〜３−４では、臭気が低減されており、安定性も良好であった。一方、同電荷イオン性界面活性剤を用いなかった比較例３−１及び３−２並びにノニオン性界面活性剤を用いなかった比較例３−３及び３−４では、安定性の評価結果が悪かった。
【産業上の利用可能性】
【００７９】
以上のように、本発明の水性インクは、臭気が低減され、安定性に優れたものである。本発明の水性インクの用途は、特に限定されず、各種のインクジェット記録に広く適用可能である。
【符号の説明】
【００８０】
１          インクジェット記録装置
２          インクカートリッジ
３          インク吐出手段（インクジェットヘッド）
４          ヘッドユニット
５          キャリッジ
６          駆動ユニット
７          プラテンローラ
８          パージ装置
【図１】
2015189956.tif 000014